(57)【要約】【課題】開閉体を開閉の際に特別な動作をしなくても固定枠と開閉体とで指等を挟むのを防止でき且つコストも安価なスライド式開閉体の挟み込み防止装置を提供する。【解決手段】本発明のスライド式開閉体の挟み込み防止装置１１は、固定枠２１と固定枠２１内をスライドする開閉体２２との間に設けられるスライド式開閉体の挟み込み防止装置１１であって、開閉体２２のスライド速度に感応して作動する速度感応手段４と、速度感応手段４の作動によって開閉体２２を減速又は停止する速度規制手段３と、を有することを特徴とする。【選択図】図２
2008274557.tif 000002
【特許請求の範囲】
【請求項１】
固定枠と前記固定枠内をスライドする開閉体との間に設けられるスライド式開閉体の挟み込み防止装置であって、
前記開閉体のスライド速度に感応して作動する速度感応手段と、
前記速度感応手段の作動によって前記開閉体を減速又は停止する速度規制手段と、を有することを特徴とするスライド式開閉体の挟み込み防止装置。
【請求項２】
前記速度規制手段は、前記固定枠又は前記開閉体のうちの少なくとも一方に固定される基部と、
前記固定枠又は前記開閉体のうちの少なくとも他方のストッパーに前記速度規制手段が当接した時の前記開閉体の前記スライド速度が所定速度より遅い場合に第１の位置に位置し、前記スライド速度が前記所定速度以上の場合に第２の位置で前記基部と係合して前記開閉体を減速又は停止する可動体とを有する請求項１に記載のスライド式開閉体の挟み込み防止装置。
【請求項３】
前記速度規制手段は、更に、前記固定枠又は前記開閉体のうちの少なくとも一方に回転可能に保持され、前記ストッパーの当接によって回転し、前記可動体が第１の位置から第２の位置に可動可能に可動体の一端が係合されている回転体を有する請求項２に記載のスライド式開閉体の挟み込み防止装置。
【請求項４】
前記速度感応手段は、前記回転体と相対回転自在に保持され、前記開閉体の前記スライド速度が前記所定速度以上で前記回転体が回転した場合に前記回転体と回転変位を生じ前記可動体を第１の位置から前記第２の位置に可動させるウェイトを有する請求項２又は３に記載のスライド式開閉体の挟み込み防止装置。
【請求項５】
前記速度感応手段は、一端が前記可動体に固定され他端が前記回転体に固定され、
前記開閉体の前記スライド速度が前記所定速度より遅い場合に前記回転体が回転すると前記可動体が第１の位置に位置するように可動を規制し、
前記開閉体の前記スライド速度が前記所定速度以上の場合に前記回転体が回転すると前記可動体に所定以上の遠心力が加わり前記第２の位置に前記可動体の可動を許可する弾性体を有する請求項２又は３に記載のスライド式開閉体の挟み込み防止装置。
【発明の詳細な説明】
【技術分野】
【０００１】
本発明は、玄関引き戸や引き違いサッシ等のようにスライドする戸や窓（開閉体）の開閉に係り、特に閉める時に指等を挟み込むのを防止するスライド式開閉体の挟み込み防止装置に関する。
【背景技術】
【０００２】
従来から住宅の開口部には、横にスライドする型の引き戸や障子等（開閉体）が用いられており、引き違いサッシで開閉体が重なり合う部分や、開閉体と開口部の枠（固定枠）側との間で指等を挟むことがあった。近年、この開閉体が景観をよくするために大型化したり、防犯や断熱を重視したペアガラスにしたりする比率が高くなってきており、それに伴い開閉体の重量が増加している。そのため、指等を挟んだ場合の危険性が高くなってきている傾向がある。
【０００３】
指等の挟み込みを防ぐために、種々の技術が開発されており、例えば非特許文献１では、開閉体にゴム製のストッパーを取り付けることで開閉体を閉める際、開閉体と固定枠との間にストッパーの厚み分の隙間が設けられる技術が開示されている。開閉体にストッパーをセットした状態で開閉体を勢いよく閉めてもストッパーが固定枠に接触するため、開閉体と固定枠との間に隙間ができ、指等を挟まない。そして、開閉体を完全に閉める場合にはストッパーのセット状態を外してから開閉体を完全に閉めるという動作をするので、指等を挟み難い。
【０００４】
その他に、電動で開閉する電動式引き戸がある。非接触式のセンサーを近づけると開閉体が開方向に自動的にスライドして開口し、センサーが遠ざかると開閉体が閉方向に自動的にスライドして閉じる。電動で自動的に開閉するこのような開口部には、開閉スピードの調節ができたり、障害物が接触したら開閉を停止したりするセンサーも取り付けられるので、指等の挟み込みが比較的に起こりにくい。
【非特許文献１】“『トステム』「デュオPG」 アルミPGサッシ/安心・エコロジー：ユニバーサルデザイン”、指はさみストッパー、[online]、トステム株式会社、[２００４年９月１３日]、インターネット、<ＵＲＬ：http://www.tostem.co.jp/newsrelease/index2004.htm.#>
【発明の開示】
【発明が解決しようとする課題】
【０００５】
しかし、上記従来技術の非特許文献１では、ストッパーをセットしたりセット状態を外したりする手間がかかり、ストッパーをセットし忘れた場合は指等の挟み込みを防止できない。そして、電動式引き戸の場合は、システム自体が高価であり、設置も電気的エネルギーを供給する配線等が複雑になる。
【０００６】
また、開閉体の外周又は固定枠の内周で開閉体と固定枠とで指等を挟む可能性がある箇所に緩衝材を配したものもあるが、これは指等の挟み込みを防止するのではなく、挟んだ場合の被害を小さくしようとするものである。
【０００７】
本発明は、上記課題に鑑みてなされたもので、開閉体を開閉の際に特別な動作をしなくても指等の挟み込みを防止でき且つコストも安価なスライド式開閉体の挟み込み防止装置を提供することを解決すべき課題とする。
【課題を解決するための手段】
【０００８】
本発明のスライド式開閉体の挟み込み防止装置は、固定枠と前記固定枠内をスライドする開閉体との間に設けられるスライド式開閉体の挟み込み防止装置であって、前記固定枠内をスライドする前記開閉体の速度に感応して作動する速度感応手段と、前記速度感応手段が感応する前記速度が所定速度以上である場合に前記開閉体のスライドを減速又は停止する速度規制手段と、を有することを特徴とする。
【０００９】
本発明のスライド式開閉体の挟み込み防止装置は、固定枠と開閉体との間に設置され、開閉体が開閉する際、固定枠と開閉体とで指等が挟まれるのを防止するための装置である。速度感応手段は固定枠内を横にスライドして開閉動作する開閉体のスライド速度に感応して作動する手段であり、速度規制手段は速度感応手段が作動したことによって、開閉体の開閉を減速又は停止する手段である。よって、開閉体を減速又は停止して規制できるので、固定枠と開閉体との間で指等を挟み込むのを防止することができる。
【００１０】
本発明のスライド式開閉体の挟み込み防止装置で用いられる前記速度規制手段は、前記固定枠又は前記開閉体のうちの少なくとも一方に固定される基部と、前記固定枠又は前記開閉体のうちの少なくとも他方のストッパーに前記速度規制手段が当接した時の前記開閉体の前記スライド速度が所定速度より遅い場合に第１の位置に位置し、前記スライド速度が前記所定速度以上の場合に第２の位置で前記基部と係合して前記開閉体を減速又は停止する可動体とを有することが好ましい。速度規制手段は、開閉体のスライド速度が所定速度以上の時に、基部と可動体とが係合して開閉体を減速又は停止する。可動体は、速度規制手段がストッパーに当接した時の開閉体のスライド速度が所定速度以上の時に第２の位置で基部の一部に係合し、それ以外のスライド速度では基部に係合しない第１の位置に位置する。これにより、開閉体のスライド速度が所定速度以上で開閉する時、可動体が基部の一部に係合することで開閉体を減速又は停止させることができるので、開閉体と固定枠との間で指等を挟むことを防げる。
【００１１】
本発明のスライド式開閉体の挟み込み防止装置で用いられる前記速度規制手段は、更に、前記固定枠又は前記開閉体のうちの少なくとも一方に回転可能に保持され、前記ストッパーの当接によって回転し、前記可動体が第１の位置から第２の位置に可動可能に可動体の一端が係合されている回転体を有することが好ましい。回転体は、ストッパーに当接して回転する部材で、可動体の一端が係合されており、回転体の回転により可動体が第１の位置又は第２の位置に可動する。回転体の回転する速度は、ストッパーに当接した際の開閉体の速度に関係し、回転体は開閉体のスライド速度が所定速度以上で可動体が第２の位置に可動する速度で回転する。よって、固定枠又は開閉体のうちの少なくとも一方に保持されている回転体と他方のストッパーとを開閉体と固定枠との間で指等を挟む状態になるより前に互いが当接するようにそれぞれ配置することで、開閉体のスライド速度が所定速度以上で開閉体を減速又は停止することができるので、開閉体と固定枠との間に指等を挟むことを防げる。
【００１２】
本発明のスライド式開閉体の挟み込み防止装置で用いられる前記速度感応手段は、前記回転体と相対回転自在に保持され、前記開閉体の前記スライド速度が前記所定速度以上で前記回転体が回転した場合に前記回転体と回転変位を生じ前記可動体を第１の位置から前記第２の位置に可動させるウェイトを有することが好ましい。ウェイトは、開閉体のスライド速度が所定速度より遅い時に回転体と一緒に回転し、開閉体のスライド速度が所定速度以上の場合に回転体と相対回転する。この相対回転により、ウェイトが可動体を第１の位置から第２の位置に可動させるので、可動体は基部の一部と係合し開閉体を減速又は停止させることができる。よって、開閉体の減速又は停止を機械的に簡単な構成で実現できるので、低コストで開閉体と固定枠との間で指等の挟み込みを防止できる。
【００１３】
本発明のスライド式開閉体の挟み込み防止装置で用いられる前記速度感応手段は、一端が前記可動体に固定され他端が前記回転体に固定され、前記開閉体の前記スライド速度が前記所定速度より遅い場合に前記回転体が回転すると前記可動体が第１の位置に位置するように可動を規制し、前記開閉体の前記スライド速度が前記所定速度以上の場合に前記回転体が回転すると前記可動体に所定以上の遠心力が加わり前記第２の位置に前記可動体の可動を許可する弾性体を有することが好ましい。可動体は、回転体がストッパーに当接して回転することで遠心力を受け、一端は回転体に回転可能に保持されているので他端が可動し、可動体の第１の位置と第２の位置とに位置することになる。この可動体の他端に、開閉体のスライド速度が所定速度以上で可動体が第２の位置に位置する弾性係数の弾性体の一端を固定することで、可動体は開閉体のスライド速度が所定速度より遅く開閉する際には第１の位置に位置し、所定速度以上で第２の位置に可動して開閉体を減速又は停止することができる。よって、弾性体を可動体に固定するだけの簡単な構成で、開閉体を減速又は停止させることができるので、低コストで開閉体と固定枠との間で指等を挟むことを防止することができる。
【発明の効果】
【００１４】
本発明のスライド式開閉体の挟み込み防止装置によれば、開閉体の開閉するスライド速度に感応して作動する速度感応手段の作動により、速度規制手段が開閉体を減速又は停止し、開閉体と固定枠とが激しく衝突することが抑制できる。そして、開閉体がゆっくりスライドして開閉すれば速度感応手段は作動せず、開閉体と固定枠との間に指等があったとしても強く挟まれず、また指等を開閉体と固定枠との間から外す余裕ができる。よって、開閉体と固定枠との間で指等を挟み込むのを防止できる。
【００１５】
この速度規制手段は、開閉体のスライド速度が所定速度以上の場合に可動体と基部の一部とが係合して、開閉体のスライド速度を規制して開閉体を減速又は停止するので、機械的に簡単な構成で開閉体と固定枠との衝突を避けることができる。
【００１６】
そして、可動体は、ストッパーに当接して回転する回転体に一端が回転可能に保持されているので、回転体が回転する速度により、第１の位置と第２の位置とに可動する。回転体は開閉体がスライドしている途中で当接し、その当接の際のスライド速度が所定速度以上であれば、可動体が第２の位置に可動して基部の一部と係合する。これは、機械的に開閉体を減速又は停止させる構成であり、何らの特別な動作を必要とせずに指等の挟み込みを防止できる。
【００１７】
そして、速度感応手段が回転体と相対回転可能なウェイトの場合、開閉体が所定速度以上の場合に回転体とウェイトとで回転変位が生じ、回転変位により可動体を第２の位置に可動させる。つまり、開閉体が所定速度より遅ければ回転体とウェイトとは同回転し回転変位がないので、可動体が第１の位置に待機する。よって、開閉体のスライド速度に感応するウェイトにより、機械的な簡単な構成で開閉体が減速又は停止できる。
【００１８】
また、弾性体は回転体の回転により可動体が受ける遠心力を利用して、可動体を第１の位置と第２の位置に可動させるので、開閉体のスライド速度が所定速度以上の場合に可動体が第２の位置に可動する弾性係数とすることで、開閉体を減速又は停止できる。弾性体は、一端を可動体に、他端を回転体に固定するだけで、開閉体のスライド速度に感応して可動体を回転させて、開閉体のスライドを規制できるので、簡単な構成で且つ低コストで開閉体と固定体との間での指等の挟み込むのを防止できる。
【発明を実施するための最良の形態】
【００１９】
本発明の実施形態に係るスライド式開閉体の挟み込み防止装置は、例えば玄関の引き戸や窓の引き違いサッシ等のようにスライドする玄関や窓の開閉可能な開口部に取り付けることができる。以下、開閉体を閉める場合について説明する。
【００２０】
（実施例１）
本実施例１のスライド式開閉体の挟み込み防止装置１１は、図１に示すように、固定枠２１と固定枠２１内で横にスライドする２つの開閉体２２のうちの右側の開閉体２２との間に取り付けられる。固定枠２１は、建物等の構造物に形成されている開口部の内周に設置される枠である。開閉体２２は固定枠２２内を図１において左右にスライドし、開閉体２２の右端が固定枠２１の一番右位置で開口部が閉じられた状態を示し、左側にスライドすることで開口する。本実施例１のスライド式開閉体の挟み込み防止装置１１は、開閉体２２が閉まっている図１において、上框２２１の右よりに設置されている。
【００２１】
本実施例１のスライド式開閉体の挟み込み防止装置１１は、図２に示すように、速度規制手段３と速度感応手段４とを有する。
【００２２】
速度規制手段３は、ストッパー３１と、アーム３２と、回転体３３と、可動体３４と、基部３５とを有し、ストッパー３１以外が開閉体２２の上框２２１の右よりに設置されている。
【００２３】
ストッパー３１は、固定枠２１の右上の内周側に開閉体２２側に突出するようにねじ止めされる。図２においては、開閉体２２の図示を省略する。
【００２４】
アーム３２は、アーム回転中心３２０と、係合部３２１と、当接面３２２とを有し、板状の部材でアーム回転中心３２０を中心に幅方向に回転する。アーム回転中心３２０は、ストッパー３１側（固定枠２１側）の一端に位置し、アーム３２を開閉体に対して回転可能に開閉体２２に取り付ける。係合部３２１は、他端側で板厚方向に突出し根本部分がくびれており、根本部分が後述する回転体３３の長形孔３３２ａに挿入され、回転体３３に係合する。当接面３２２は、アーム回転中心３２０の一端側の端部でストッパー３１の外周面と当接する面である。
【００２５】
回転体３３は板状であり、円形状の本体３３１と、本体３３１の外周側から径方向に突出した連結部３３２と、本体３３１の中心に回転体中心３３０とを有し、回転体回転中心３３０を中心に本体３３１の周方向に回転可能に開閉体２２に保持されている。連結部３３２はアーム３２の係合部３２１が係合する径方向に開口した長形孔３３２ａが形成されている。この長形孔３３２ａをアーム３２の係合部３２１がスライドして、アーム３２の他端及び連結部３３２が図２において略左右に振れ、本体３３１が回転体回転中心３３０を中心に回転する。
【００２６】
可動体３４は、開閉体２２と回転体３３の本体３３１との間に位置し、一端が本体３３１に回転可能に係合される。本体３３１と係合する一端が可動体回転中心３４０で、他端に後述する基部３５の内周歯３５１に係合する係合歯３４１が形成されている。図２において、可動体３４は、第１の位置３４２に位置しており、内周歯３５１とは係合していない。
【００２７】
基部３５は、開閉体２２に４カ所で固定されており、内周側全周に渡って内周歯３５１が形成されている。
【００２８】
速度感応手段４は、回転体３３と開閉体２２との間に位置し、ウェイト４１とばね（図示略）とを有する。ウェイト４１は、回転体３３の回転体回転中心３３０によって回転体３３に対して相対回転自在に保持され、一部に可動体３４に係合するカム機構（図示略）を有する。ばねは、一端がウェイト４１に、他端が回転体３３に固定され、開閉体２２が所定速度より遅ければ回転体３３と一緒に回転し、所定速度以上であれば回転体３３と相対回転（回転体の回転より遅れる）できるばね定数である。
【００２９】
本実施例１のスライド式開閉体の挟み込み防止装置１１は、開閉体２２が閉めきられて、右側外周が固定枠２１に接触する前で指等が入るより広めの隙間になる位置で止まれるように、ストッパー３１とアーム３２との位置が調節されて設置される。
【００３０】
次に、本実施例１のスライド式開閉体の挟み込み防止装置１１の動作について説明する。まず図２は、開閉体２２をスライドさせて開口部を閉めようとしている状態を表す図で、図中右方に開閉体２２をスライドさせている。この時、アーム３２、回転体３３、可動体３４及びウェイト４１は回転しておらず、可動体３４は第１の位置３４２に位置している。
【００３１】
そして、開閉体２２のスライド速度が所定速度以上で、ストッパー３１とアーム３２の当接面３２２とが当接した状態が図３である。当接面３２２がストッパー３１に当接すると、アーム３２はアーム回転中心３２０を中心に左回りに回転し、回転体３３の連結部３３２の長形孔３３２ａ内をアーム３２の係合部３２１がスライドし、回転体３３を回転させる。回転体３３は回転体回転中心３３０を中心に右回りに幾らか回転するが、ウェイト４１はばねによって回転できないあるいは回転が遅れる。これはばねが固定されている回転体に加わる回転力がばねの弾性力よりも大きいので、ウェイト４１を引っ張ることができないからである。回転体３３とウェイト４１とで回転変位が生じ、ウェイト４１のカム機構が可動体３４の係合歯３４１を回転体３３の外周側に押し出す。係合歯３４１が押し出された可動体３４は、第２の位置３４３に位置し、基部３５の内周歯３５１の一部と係合歯３４１とが係合し、回転体３３の回転が停止する。結果、回転体３３が保持されている開閉体２２が停止する。
【００３２】
次に、開閉体２２が所定速度より遅いスライド速度でスライドし、ストッパー３１とアーム３２の当接面３２２とが当接した場合の状態が図４に示されている。当接面３２２はストッパー３１の左側に当接後、アーム回転中心３２０を中心に他端が左回りに回転し、回転体３３も回転体回転中心３３０を中心に連結部３３２が右回りに回転する。開閉体２２のスライド速度が所定速度より遅いため、回転体３３の回転速度も遅く速度感応手段４のばねに大きな引っ張り力が加わらないので伸びることがなく、ウェイト４１は回転体３３と一緒に回転する。よって、回転体３３とウェイト４１とで回転変位が生じず、カム機構によって可動体３４が第１の位置３４２から第２の位置３４３に押されることがないので、開閉体２２は停止せずに閉めきることができる。図４は、開閉体２２を閉めきる直前の状態である。
【００３３】
本実施例１のスライド式開閉体の挟み込み防止装置１１によれば、開閉体２２が所定速度以上で閉じられようとした場合には停止させることができ、所定速度より遅い場合には閉めきることができる。そして、本実施例１の装置１１は、開閉体２２を閉める前に装置１１を作動させるための動作が必要ないので、いきなり開閉体２２を勢いよく閉めることになったとしても装置１１が作動し、所定速度以上ならば停止させることができる。つまり、通常の生活においてなんら特別なことをすることがないのに、指等の挟み込みを防止することができる。
【００３４】
そして、装置１１は開閉体２２の速度に機械的に反応し、機械的に開閉体２２を停止させることができるため、電気的エネルギーを供給するために電池の交換やコンセントへの配線などの手間もかからない。その上、比較的小さく簡単な構成で実現できるので低コストであり、すでに設置されている玄関の引き戸や窓のサッシに取り付けることができ、これから設置される引き戸やサッシには固定枠２１内及び開閉体２２の上框２２１内に見えないようにした引き戸やサッシとして提供することができる。
【００３５】
また、ストッパー３１の取り付け場所が固定されているあるいは一度取り付けた等でねじ止め箇所を変更できない場合等では、ストッパー３１を左右逆に取り付けることによって、ストッパー３１とアーム３２との当接位置を開閉体２２のスライド方向で調節することができる。
【００３６】
その他に、ストッパー３１を固定枠２１自体とすることもできる。開閉体２２が閉めきられる前でアーム３２が固定枠２１に当接して、開閉体２２の速度が感知できればよい。
【００３７】
（実施例２）
実施例２のスライド式開閉体の挟み込み防止装置１２は、実施例１で用いられた速度感応手段４が異なり、それ以外は同様の構成である。
【００３８】
本実施例２の速度感応手段４は、図５及び図６に示すように、開閉体２２と回転体３３との間に位置するばね４２を有する。ばね４２は、一端が可動体３４に固定され、他端が回転体３３に固定され、可動体３４を回転体回転中心３３０方向に付勢している。よって、開閉体２２を開閉せずに停止させている状態では、可動体３４は第１の位置３４２に位置している。ばね４２の付勢力は、開閉体２２がスライドして、ストッパー３１とアーム３２の当接面３２２とが当接した場合に、回転体３３が回転することで可動体３４に加わる遠心力を考慮したものである。よって、ばね４２は、開閉体２２が所定速度より遅い場合にばね４２の伸縮が小さく可動体３４が第２の位置３４３側に可動できない程度であり、開閉体２２が所定速度以上の場合に可動体３４に加わる遠心力にまけて伸び、可動体３４を第２の位置に可動させる。
【００３９】
次に、本実施例２のスライド式開閉体の挟み込み防止装置１２の動作について説明する。まず、開閉体２２を閉めようとしていて、ストッパー３１にアーム３２の当接面３２２が当接する前は、アーム３２、回転体３３、可動体３４は回転していない。可動体３４は、第１の位置３４２に位置している。
【００４０】
そして、開閉体２２を閉める開閉体２２のスライド速度が所定速度以上で、ストッパー３１とアーム３２の当接面３２２とが当接した場合、アーム３２はアーム回転中心３２０を中心に左回りに回転し、回転体３３の連結部３３２の長形孔３３２ａ内をアーム３２の係合部３２１がスライドし、回転体３３を回転させる。図５に示すように、回転体３３は回転体回転中心３３０を中心に右回りに幾らか回転する。この時、回転体３３に一端が固定されている可動体３４に遠心力が加わる。可動体３４に加わる遠心力は、可動体３４を第１の位置３４２に付勢していたばね４２の付勢力より強いので、ばね４２は伸び、可動体３４が第２の位置３４３に可動することになる。結果、可動体３４の係合歯３４１が基部３５の内周歯３５１に係合し、回転体３３の回転を止め、開閉体２２が停止する。
【００４１】
次に、開閉体２２が所定速度より遅いスライド速度でスライドし、ストッパー３１とアーム３２の当接面３２２とが当接した場合、当接面３２２はストッパー３１の左側に当接後、アーム回転中心３２０を中心に他端が左回りに回転し、回転体３３も回転体回転中心３３０を中心に連結部３３２が右回りに回転する。開閉体２２のスライド速度が所定速度より遅いため、回転体３３の回転速度も遅く可動体３４に強い遠心力が加わらない。つまり、図６に示すように、速度感応手段４のばね４２にばね４２の付勢力より大きな引っ張り力が加わらないので伸縮が小さく、可動体３４が第１の位置３４２から第２の位置３４３に可動しないので、開閉体２２は停止せずに閉めきることができる。
【００４２】
本実施例２のスライド式開閉体の挟み込み防止装置１２によれば、開閉体２２が所定速度以上で閉じられようとした場合には停止させることができ、所定速度より遅い場合には閉めきることができる。そして、本実施例２の装置１２は、開閉体２２を閉める前に装置１２を作動させるための動作が必要ないので、いきなり開閉体２２を勢いよく閉めることになったとしても装置１２が作動し、所定速度以上ならば停止させることができる。つまり、通常の生活においてなんら特別なことをすることがないのに、指等の挟み込みを防止することができる。
【００４３】
そして、装置１２は開閉体２２の速度に機械的に反応し、機械的に開閉体２２を停止させることができるため、電気的エネルギーを供給するために電池の交換やコンセントへの配線などの手間もかからない。その上、比較的小さく簡単な構成で実現できるので低コストであり、すでに設置されている玄関の引き戸や窓のサッシに取り付けることができ、これから設置される引き戸やサッシには固定枠２１内及び開閉体２２の上框２２１内に見えないようにした引き戸やサッシとして提供することができる。
【００４４】
（実施例３）
実施例３のスライド式開閉体の挟み込み防止装置１３は、実施例１又は実施例２の装置のストッパー３１が開閉体２２側に設置され、それ以外の構成要素が固定枠２１側に設置されたものである。ストッパー３１及びそれ以外の構成要素を逆にして、固定枠２１及び開閉体２２に設置するにあたり、一部構成が異なるが同じ構成要素については、詳細な説明を省略する。なお、実施例３においては、固定枠の図示が省略されている。
【００４５】
ストッパー３１は、図７に示すように、開閉体２２の上框２２１の右よりにねじ止めされる。
【００４６】
アーム３６は、板状の部材で、一端側が固定枠にアーム回転中心３６０で回転可能に保持され、幅方向に回転する。他端側がストッパー３１が設置されている開閉体２２側に位置し、端部にストッパー３１に当接する当接面３６１が形成されている。
【００４７】
回転体は、図７においては図示が省略されているが板状であり、円形状の本体と、本体の中心に回転体回転中心とを有し、回転体回転中心を中心に本体の周方向に回転可能に固定枠に保持されている。
【００４８】
可動体は、固定枠と回転体の本体との間に位置し、一端が本体に回転可能に係合される。本体と係合する一端が可動体回転中心で、他端に基部３５の内周歯に係合する係合歯が形成されている。可動体は、回転体が回転していない場合、第１の位置に位置している。
【００４９】
基部３５は、固定体に固定され、内周側全周に渡って内周歯が形成されている。
【００５０】
そして、実施例３のスライド式開閉体の挟み込み防止装置１３は、アーム３６と回転体とを連結させる連結部材３７を有している。連結部材３７は、ひも状の部材で一端がアーム３６に固定され、他端が回転体に固定され、アーム３６がアーム回転中心３６０を中心に回転すると回転体も回転体回転中心３３０を中心に回転するように、アーム３６と回転体とを連結している部材である。図７において、アーム３６の他端が左回りに回転すると、連結部材３７が左側に引っ張られ、回転体が回転する。
【００５１】
速度感応手段４は、実施例１又は実施例２を用いることができる。以下では説明上、実施例２のばね４２を用いる場合について以下説明する。
【００５２】
次に、本実施例のスライド式開閉体の挟み込み防止装置１３の動作について説明する。まず図７は、開閉体２２をスライドさせて開口部を閉めようとしている状態を表す図で、図中右方に開閉体２２をスライドさせている。この時、アーム３６、回転体及び可動体は回転しておらず、可動体は第１の位置に位置している。
【００５３】
そして、開閉体２２のスライド速度が所定速度以上で、ストッパー３１とアーム３６の当接面３６１とが当接した状態が図８である。当接面３６１がストッパー３１に当接すると、アーム３６の他端はアーム回転中心３６０を中心に左回り回転し、連結部材３７が図８において左側に引っ張られ、連結部材３７の他端が固定されている回転体が回転する。回転体は回転体回転中心を中心に幾らか回転する。この時、回転体に一端が固定されている可動体に遠心力が加わる。可動体に加わる遠心力は、可動体を第１の位置に付勢していたばねの付勢力より強いので、ばねは伸び、可動体が第２の位置に可動することになる。結果、可動体の係合歯が基部の内周歯に係合し、回転体の回転を止め、開閉体２２が停止する。
【００５４】
次に、開閉体２２が所定速度より遅いスライド速度でスライドし、ストッパー３１とアーム３６の当接面３６１とが当接した場合の状態が図９に示されている。当接面３６１はストッパー３１の右側に当接後、アーム回転中心３６０を中心に他端が左回りに回転し、連結部材３７が左側に引っ張られる。連結部材３７の他端が固定されている回転体も回転体回転中心３３０を中心に回転する。開閉体２２のスライド速度が所定速度より遅いため、回転体の回転速度も遅く可動体に強い遠心力が加わらない。つまり、速度感応手段４のばねにばねの付勢力より大きな引っ張り力が加わらないので伸縮が小さく、可動体が第１の位置から第２の位置に可動しないので、開閉体２２は停止せずに閉めきることができる。
【００５５】
本実施例３のスライド式開閉体の挟み込み防止装置１３によれば、ストッパー３１とそれ以外の構成要素を実施例１及び実施例２の逆に配置したとしても実施例１及び実施例２と同様に、開閉体２２が所定速度以上で閉じられようとした場合には停止させることができ、所定速度より遅い場合には閉めきることができる。現在設置されている玄関の引き戸や窓のサッシなどの構成、あるいはこれから設置する引き戸やサッシの構成に合わせて、実施例１（実施例２）又は実施例３の配置でスライド式開閉体の挟み込み防止装置を設置することができる。
【図面の簡単な説明】
【００５６】
【図１】本実施例１のスライド式開閉体の挟み込み防止装置１１が窓などに設置されている状態を示す図である。
【図２】本実施例１のスライド式開閉体の挟み込み防止装置１１の構成図である。
【図３】本実施例１のスライド式開閉体の挟み込み防止装置１１が開閉体２２を停止させている状態を示す図である。
【図４】本実施例１のスライド式開閉体の挟み込み防止装置１１が開閉体２２を停止させずに通過する状態を示す図である。
【図５】本実施例２のスライド式開閉体の挟み込み防止装置１２が開閉体２２を停止させている状態を示す図である。
【図６】本実施例２のスライド式開閉体の挟み込み防止装置１３が開閉体２２を停止させずに通過する状態を示す図である。
【図７】本実施例３のスライド式開閉体の挟み込み防止装置１３の構成図である。
【図８】本実施例３のスライド式開閉体の挟み込み防止装置１３が開閉体２２を停止させている状態を示す図である。
【図９】本実施例３のスライド式開閉体の挟み込み防止装置１３が開閉体２２を停止させずに通過する状態を示す図である。
【符号の説明】
【００５７】
１１、１２、１３：スライド式開閉体の挟み込み防止装置、
２１：固定枠、２２：開閉体、２２１：上框、
３：速度規制手段、３１：ストッパー、３２、３６：アーム、
３２０、３６０：アーム回転中心、３２１：係合部、３２２、３６１：当接面、
３３：回転体、３３０：回転体回転中心、３３１：連結部、３３１ａ：長形孔、
３４：可動体、３４０：可動体回転中心、３４１：係合歯、３４２：第１の位置、
３４３：第２の位置、３５：基部、３５１：内周歯、３７：連結部材、
４：速度感応手段、４１：ウェイト、４２：ばね。
【図１】
2008274557.tif 000003
【図２】
2008274557.tif 000004
【図３】
2008274557.tif 000005
【図４】
2008274557.tif 000006
【図５】
2008274557.tif 000007
【図６】
2008274557.tif 000008
【図７】
2008274557.tif 000009
【図８】
2008274557.tif 000010
【図９】
2008274557.tif 000011